(57)【要約】【課題】  大型化することを回避しながらも、搬送中に商品が損傷することを確実に回避することができる梱包容器を提供する点にある。【解決手段】  少なくとも上端に形成された開口１を閉じるための蓋体を備えた容器本体６と、前記容器本体６の内部に商品７，８，９を収納するための柔軟で非通気性の袋１０とからなり、前記袋１０の内面に衝撃緩衝部を備えさせるとともに該袋１０内に商品を挿入するための開口を閉じて密閉状態とするための閉塞手段を該袋に開閉自在に備えさせ、前記袋内に商品が収納されてから前記閉塞手段にて開口を閉じた状態で該袋１０内の空気を脱気するための脱気口１２を該袋１０に備えさせ、前記脱気口１２に、外気が該袋１０内へ侵入することを阻止するための逆止弁１３を備えさせた。【選択図】        図１
2005298035.tif 000002
【特許請求の範囲】
【請求項１】
商品を梱包するための梱包容器において、少なくとも上端に形成された開口を閉じるための蓋体を備えた容器本体と、前記容器本体の内部に前記商品を収納するための柔軟で非通気性の袋とからなり、前記袋の内面に衝撃緩衝部を備えさせるとともに該袋内に商品を挿入するための開口を閉じて密閉状態とするための閉塞手段を該袋に開閉自在に備えさせ、前記袋内に商品が収納されてから前記閉塞手段にて開口を閉じた状態で該袋内の空気を脱気するための脱気口を該袋に備えさせ、前記脱気口に、外気が該袋内へ侵入することを阻止するための逆止弁を備えさせたことを特徴とする梱包容器。
【請求項２】
衝撃緩衝材でなる複数枚の板状の仕切部材を、それらの板厚方向が水平方向となる縦姿勢で重ね合わせた状態で水平方向両端を除く中間部で連結し、それら連結された複数枚の仕切部材を前記袋内に縦姿勢で収容し、前記袋内に縦姿勢で収容された複数枚の仕切部材の水平方向端部を板厚方向に離間させることで水平方向で少なくとも４つ以上の商品収容空間を形成するように構成してなる請求項１記載の梱包容器。
【請求項３】
前記複数枚の仕切部材を前記袋内に縦姿勢で保持するための衝撃緩衝材でなる底板部材を、該仕切部材の下端に該仕切部材の離間操作が阻止されない状態で連結してなる請求項２記載の梱包容器。
【請求項４】
前記脱気口にそれを覆うためのカバー部材を取り付け、前記カバー部材を外部に露呈すると共に位置決めするための開口を前記容器本体を構成する側壁に形成してなる請求項１〜３のいずれかに記載の梱包容器。
【請求項５】
商品を梱包するための梱包容器において、少なくとも上端に形成された開口を閉じるための蓋体を備えた容器本体と、前記容器本体の内部に前記商品を収納するための柔軟で非通気性の袋とからなり、前記袋内に商品を挿入するための開口を閉じて密閉状態とするための閉塞手段を該袋に開閉自在に備えさせ、前記袋内に商品が収納されてから前記閉塞手段にて開口を閉じた状態で該袋内の空気を脱気するための脱気口を該袋に備えさせ、前記脱気口に、外気が該袋内へ侵入することを阻止するための逆止弁を備えさせ、上方の開口部を通して商品を収容可能な商品収容部が複数形成されたほぼ箱形状の商品収容ケースを前記袋内に備えさせ、前記空気の脱気に伴い前記商品収容ケースが変形して商品との間の空気を脱気可能となるように該商品収容ケースを柔軟性を有する材料で構成してなる梱包容器。
【請求項６】
前記蓋体の閉塞状態において容器本体内部側へ突出して該容器本体内に脱気された袋の上端と該蓋体との間に形成される隙間を埋めるための突出部を該袋の上端との接当により変形自在な状態で備えさせてなる請求項１〜５のいずれかに記載の梱包容器。
【請求項７】
前記容器本体の側壁内面に該内面と該容器本体に収容される袋との間の隙間を埋めるための衝撃緩衝材でなる隙間部材を備えさせ、前記隙間部材を前記袋を脱気した状態で膨出可能に構成してなる請求項１〜６のいずれかに記載の梱包容器。
【発明の詳細な説明】
【技術分野】
【０００１】
本発明は、例えば引っ越しや配送のときなどに商品を損傷させることがないように梱包するための梱包容器に関する。ここで言う損傷とは、傷が付くだけでなく、変形したり割れることも含むものとする。
【背景技術】
【０００２】
上記梱包容器としては、商品を収納するための収納空間を備えた梱包容器本体の内壁面に、エアの供給により膨らませることができるバルブ付のエアバックを備えさせ、エアバックを膨らませることにより梱包容器本体内に収納された商品との隙間を覆うことによって、搬送中に梱包容器本体内で商品が不測に移動して商品が損傷することがないようにしている（例えば、特許文献１参照。）。
【特許文献１】特開平１０−１２９７３１号公報
【発明の開示】
【発明が解決しようとする課題】
【０００３】
上記特許文献１によれば、エアバックを膨らませて商品との隙間を覆う構成では、商品の大きさや形状などに係わらず、前記隙間を確実に覆うことができるようにエアバックの材料をある程度柔軟性に優れたものを用いる関係上、搬送中において商品の重量によっては膨らませたエアバックの一部を押し縮めるように商品が移動し、その移動により押し縮められたエアバックの復元力にて商品が押し戻されたりして、搬送中に商品が梱包容器本体内を繰り返し移動してしまうことがあり、特に多数の商品を収納している場合において前記移動により商品同士が接当して商品を損傷させてしまうことがあった。
因みに、供給されるエア圧を大きなものに設定することによって、前記商品の移動を阻止することが考えられるが、その供給されるエア圧の大きさに耐えられる強度を有する梱包容器本体を用いなければならず、コスト高になることから、実施し難いものである。
また、エアバックにエアを供給して形成される空間分を梱包容器本体の内部に確保しなければならないことから、商品の大きさの割には梱包容器本体自体が大型化するものであり、特にトラックに積んで運ぶ場合にトラックの積載容積において不利になる等、取扱上において不向きであった。
【０００４】
本発明が前述の状況に鑑み、解決しようとするところは、大型化することを回避しながらも、搬送中に商品が損傷することを確実に回避することができる梱包容器を提供する点にある。
【課題を解決するための手段】
【０００５】
本発明は、前述の課題解決のために、商品を梱包するための梱包容器において、少なくとも上端に形成された開口を閉じるための蓋体を備えた容器本体と、前記容器本体の内部に前記商品を収納するための柔軟で非通気性の袋とからなり、前記袋の内面に衝撃緩衝部を備えさせるとともに該袋内に商品を挿入するための開口を閉じて密閉状態とするための閉塞手段を該袋に開閉自在に備えさせ、前記袋内に商品が収納されてから前記閉塞手段にて開口を閉じた状態で該袋内の空気を脱気するための脱気口を該袋に備えさせ、前記脱気口に、外気が該袋内へ侵入することを阻止するための逆止弁を備えさせて、梱包容器を構成している。また、商品を梱包するための梱包容器において、少なくとも上端に形成された開口を閉じるための蓋体を備えた容器本体と、前記容器本体の内部に前記商品を収納するための柔軟で非通気性の袋とからなり、前記袋内に商品を挿入するための開口を閉じて密閉状態とするための閉塞手段を該袋に開閉自在に備えさせ、前記袋内に商品が収納されてから前記閉塞手段にて開口を閉じた状態で該袋内の空気を脱気するための脱気口を該袋に備えさせ、前記脱気口に、外気が該袋内へ侵入することを阻止するための逆止弁を備えさせ、上方の開口部を通して商品を収容可能な商品収容部が複数形成されたほぼ箱形状の商品収容ケースを前記袋内に備えさせ、前記空気の脱気に伴い前記商品収容ケースが変形して商品との間の空気を脱気可能となるように該商品収容ケースを柔軟性を有する材料で構成して、梱包容器を構成してもよい。
袋内に商品を入れて袋内の空気を脱気することによって、袋内が真空状態又はそれに近い状態になるに伴って、袋が商品に押し付けられて商品を袋にて押し固めることができるから、袋内に収容された商品が内部で移動することがない。しかも、袋内の空気を脱気することによって、袋が商品側に接近して体積が小さくなり、商品収納ケースを袋を収納することができる程度の大きさで済ませることができる。そして、前記袋の内面に衝撃緩衝部を備えている場合には、その衝撃緩衝部が袋を通して商品へ加わる衝撃力を緩和することができる。また、前記衝撃緩衝部に替えて、商品収容部が複数形成されたほぼ箱形状の商品収容ケースで有る場合には、その商品収納ケースにて袋を通して商品へ加わる衝撃力を緩和することができる。前記衝撃緩衝部としては、フィルムの表面にドーム状の凸部を多数有するエンボスフィルムと平面状のベースフィルムを張り合わせてなる気泡緩衝シートやポリウレタンなどからなる発泡性合成樹脂シートやスポンジなど緩衝材としての機能を有するものであれば、どのようなものであってもよい。また、前記商品収納ケースは、袋内が真空状態又はそれに近い状態になるに伴って、袋が商品収納ケースを押し縮めて、商品に商品収納ケースを押し付けることができるように変形することができるもの、つまり前記と同様に気泡緩衝シートやポリウレタンなどからなる発泡性合成樹脂シートやスポンジなど緩衝材としての機能を有するものであれば、どのようなものであってもよい。
【０００６】
衝撃緩衝材でなる複数枚の板状の仕切部材を、それらの板厚方向が水平方向となる縦姿勢で重ね合わせた状態で水平方向両端を除く中間部で連結し、それら連結された複数枚の仕切部材を前記袋内に縦姿勢で収容し、前記袋内に縦姿勢で収容された複数枚の仕切部材の水平方向端部を板厚方向に離間させることで水平方向で少なくとも４つ以上の商品収容空間を形成するように構成してもよい。
【０００７】
前記複数枚の仕切部材を前記袋内に縦姿勢で保持するための衝撃緩衝材でなる底板部材を、該仕切部材の下端に該仕切部材の離間操作が阻止されない状態で連結してもよい。
【０００８】
前記脱気口にそれを覆うためのカバー部材を取り付け、前記カバー部材を外部に露呈すると共に位置決めするための開口を前記容器本体を構成する側壁に形成してもよい。
【０００９】
前記蓋体の閉塞状態において容器本体内部側へ突出して該容器本体内に脱気された袋の上端と該蓋体との間に形成される隙間を埋めるための突出部を該袋の上端との接当により変形自在な状態で備えさせてもよい。
【００１０】
前記容器本体の側壁内面に該内面と該容器本体に収容される袋との間の隙間を埋めるための衝撃緩衝材でなる隙間部材を備えさせ、前記隙間部材を前記袋を脱気した状態で膨出可能に構成してもよい。
【発明の効果】
【００１１】
袋内に商品を入れて袋内の空気を脱気して袋内に商品を押し固める構成とすることによって、袋内で商品が移動することがないだけでなく、袋の大きさも商品を覆い被せる程度の大きさに抑えることができるから、容器が大型化することを回避しながらも、搬送中に商品が損傷することを確実に回避することができる梱包容器を提供することができる。しかも、袋内面に備えさせた衝撃緩衝部又は袋内に備えさせた商品収納ケースにて袋を通して商品に伝達される衝撃力を緩和させることによって、一個一個の商品に新聞紙などを巻いて収納する場合に比べて商品の収納作業を迅速に行うことができる。
【００１２】
衝撃緩衝材でなる複数枚の板状の仕切部材を利用して水平方向で収納される商品同士を仕切る構成にすることによって、袋内に収納された水平方向で隣り合う商品同士間の小さな隙間に商品を少し移動させながら緩衝材を挿入していく場合に比べて、商品収納空間を形成しながら商品を配置していく構成の方が、袋への商品の収納作業を迅速に行うことができる。
【００１３】
複数枚の仕切部材を袋内に縦姿勢で保持するための衝撃緩衝材でなる底板部材を、仕切部材の下端に仕切部材の離間操作が阻止されない状態で連結することによって、袋内に収納された複数枚の仕切部材を縦姿勢に維持し易く、袋への商品の収納作業をより迅速に行うことができる。
【００１４】
脱気口にそれを覆うためのカバー部材を取り付け、カバー部材を外部に露呈すると共に位置決めするための開口を容器本体を構成する側壁に形成することによって、脱気して体積が小さくなった袋が容器本体に対して移動することを確実に阻止することができ、取扱面において有利になる。
【００１５】
蓋体の閉塞状態において容器本体内部側へ突出して容器本体内に脱気された袋の上端と蓋体との間に形成される隙間を埋めるための突出部を袋の上端との接当により変形自在な状態で備えさせることによって、容器本体内に脱気されて小さくなった袋との間に発生する隙間を突出部にて埋めることができるから、運搬中に容器本体内の袋が上下方向に移動することを確実に回避することができる。
【００１６】
容器本体の側壁内面にこれと容器本体に収容される袋との間の隙間を埋めるための衝撃緩衝材でなる隙間部材を備えさせ、隙間部材を袋を脱気した状態で膨出可能に構成することによって、隙間部材が脱気して小さくなった袋と容器本体との間の隙間を埋めて、袋が容器本体内を移動することを確実に阻止することができるだけでなく、容器本体を介して袋へ伝達される衝撃力を隙間部材にて緩和することができ、取扱面において更に有利になる。
【発明を実施するための最良の形態】
【００１７】
図１及び図２に、引っ越しや配送のときなどに商品７，８，９（ここでは３種類の商品を多数収納した場合を示しているが、個数及び種類は自由に変更できる）を損傷させることがないように梱包するための梱包容器を示している。この梱包容器は、上端に形成された開口１を閉じるための４枚のフラップ２，３，４，５からなる蓋体を備えた段ボール箱でなる容器本体６と、前記容器本体６の内部に商品７，８，９を収納するための柔軟で非通気性の袋１０とからなり、前記袋１０の内面に衝撃緩衝部である気泡緩衝シート１１を備えさせるとともに該袋１０内に商品７，８，９を挿入するための開口１０Ｋを閉じて密閉状態とするための閉塞手段１０Ｓを該袋１０に開閉自在に備えさせ、前記袋１０内に商品７，８，９が収納されてから前記閉塞手段１０Ｓにて開口１０Ｋを閉じた状態で該袋１０内の空気を脱気するための脱気口１２を該袋１０に備えさせ、前記脱気口１２に、外気が該袋１０内へ侵入することを阻止するための逆止弁１３を備えさせている。前記蓋体は、４枚のフラップ２，３，４，５から構成したが、１枚又は２枚あるいは３枚のフラップから構成してもよい。又、ここでは、容器本体６を軽量化及びコスト面の点から紙製のものを用いているが、合成樹脂または木製、場合によっては金属製のものを用いてもよく、容器本体６の材質は特に限定されるものではない。又、蓋体をフラップから構成する他、容器本体６とは別体構成された下端開放型の箱型状のものであってもよい。又、容器本体６を、平面視において矩形状のもので構成する他、平面視ほぼ円形状又はほぼ三角形状あるいはほぼ多角形状など、どのような形状であってもよい。前記商品７，８，９は、陶器やガラスなどで作製された食器やコップなどの割れ物を運搬する場合に、特に有利になるが、他の商品（物品）であってもよい。前記商品７，８，９を、図７に示すように袋１０内に寝かせた状態で収納するようにしてもよい。
【００１８】
図１に示す１４は、脱気口１２を覆うためのカバー部材であり、脱気口１２に対して着脱自在に嵌合している。又、前記カバー部材１４を外部に露呈すると共に位置決めするための開口６ｂを前記容器本体６を構成する４枚の側壁６Ａ，６Ｂ，６Ｃ，６Ｄのうちの特定の側壁６Ｂに形成している。
【００１９】
前記袋１０は、ナイロン（登録商標）とポリエチレンのラミネート素材からなり、その袋１０の開口１０Ｋを閉じるための前記閉塞手段１０Ｓは、図２に示すように、袋上端に他の部分よりも厚くした一対の上端部１０Ａ，１０Ａと、これら上端部１０Ａ，１０Ａに跨って両者を互いに密接状態にして開口１０Ｋを閉じるためのスライダー１０Ｂとからなり、スライダー１０Ｂを一端側に位置する図の位置から他端側（図では左側から右側）へ移動させることによって、上端部１０Ａ，１０Ａを閉じることができ、又、閉じた位置からスライダー１０Ｂを前記とは反対方向に移動させることによって、閉じた上端部１０Ａ，１０Ａを開放することができるようになっているが、図に示される構成以外のものであってもよい。
【００２０】
図１では、水平方向で隣り合う商品同士７，８及び８，９の間に新聞紙などの緩衝部材１５，１６を挟み込んで商品同士の接当による損傷を阻止するようにしているが、図３（ａ），（ｂ）及び図４に示すように構成してもよい。つまり、衝撃緩衝材でなる複数枚（ここでは３枚であるが、２枚又は４枚以上でもよい）の長方形状で板状の仕切部材１７，１８，１９を、それらの板厚方向が水平方向となる縦姿勢で重ね合わせた状態で水平方向両端（長手方向両端）を除く中間部（ほぼ中央）の上下方向に沿って適当間隔置きに３箇所（１箇所又は２箇所あるいは４箇所以上でもよい）で連結し、それら連結された３枚の仕切部材１７，１８，１９を前記袋１０内に縦姿勢で収容し、前記袋１０内に縦姿勢で収容された仕切部材１７，１８，１９の水平方向端部を板厚方向（図に示す矢印方向）に離間させることで水平方向で６つ（仕切部材が２枚の場合は４つになる）の商品収容空間Ｓを形成しながら、図４に示すように商品７，８，９収納する構成とすることによって、図１のような緩衝部材１５，１６を商品を移動させながら商品同士７，８及び８，９の間に挟み込む構成に比べて、商品の収納作業を迅速に行うことができる。前記仕切部材１７，１８，１９を、長方形状とする他、正方形、円形、楕円形、三角形、多角形など、どのような形状であってもよい。又、３枚の仕切部材１７，１８，１９を全て同一形状で同一の大きさに構成したが、異なる形状や大きさのものを複数枚使用してもよい。
【００２１】
図３（ａ），（ｂ）の２点鎖線に示す２０は、前記３枚の仕切部材１７，１８，１９を袋１０内に縦姿勢で保持するための衝撃緩衝材でなるほぼ矩形状（容器本体６の底の形状に合わせているが、他の形状でもよい）で板状の底板部材であり、この底板部材２０を、仕切部材１７，１８，１９の下端にそれらの離間操作が阻止されない状態で縫着又は接着剤にて連結することによって、袋１０内に収納された３枚の仕切部材１７，１８，１９を縦姿勢に維持し易く、袋１０への商品７，８，９の収納作業をより迅速に行うことができる。尚、図３（ａ），（ｂ）に示す２１が、底板部材２０の上面のほぼ中心部と仕切部材１７，１８，１９の下端との連結部を示している。
【００２２】
図５（ａ），（ｂ）に示すように、蓋体２，３，４，５のうちの内側となる蓋３，５の閉塞状態において、容器本体６内部側へ突出して容器本体６内に脱気された袋１０の上端と蓋体３，５との間に形成される隙間を埋めるための突出部２３，２４を該蓋体３，５の内面に袋１０の上端との接当により変形自在な状態で備えさせることによって、容器本体６内に脱気されて小さくなった袋１０との間に発生する隙間を突出部２３，２４にて埋めることができるから、運搬中に容器本体６内の袋１０が上下方向に移動することを確実に回避することができるようにしている。前記突出部２３，２４は、柔軟で非通気性を有する材料でなり、空気供給口２３Ａ，２４Ａから空気を供給することにより、図５に示すように膨らませることができるようになっており、不要時には、邪魔にならないように空気を抜いておくこともできるが、スポンジや発泡性合成樹脂などのクッション材を蓋体３，５に取り付けてもよい。
【００２３】
図６に示すように、前記袋１０の内面に備えさせた気泡緩衝シート１１の替わりに、上方の開口部２２Ｋを通して商品を収容可能な商品収容部２２Ｓが複数形成されたほぼ箱形状の商品収容ケース２２を前記袋１０内に備えさせている。前記商品収納ケース２２は、前記袋１０内の空気の脱気に伴い前記商品収容ケース２２が変形して商品との間の空気を脱気可能となるように該商品収容ケース２２をウレタンなどの柔軟性を有する材料で構成している。図６に示す２２Ａ，２２Ｂは、商品収納ケース２２内の空間を仕切るための複数の仕切部材であり、仕切部材２２Ａ，２２Ｂの枚数を変更することによって、商品収容部２２Ｓの大きさを変更することができるようにしている。前記商品収容ケース２２の長手方向に沿って配置される一方の仕切部材２２Ｂの上端に適当間隔をおいて上方に開口する切欠部２２ｂが形成され、これら切欠部２２ｂに対して他方の仕切部材２２Ａの下端に下方に開口する切欠部２２ａが形成され、両方の切欠部２２ｂ，２２ａを合わせながら仕切部材２２Ａ，２２Ｂを係止させることによって、上端面が面一状にした状態で両者を連結することができるようになっている。
【００２４】
図８には、容器本体６の側壁６Ａ，６Ｂ，６Ｃ，６Ｄの内面にこれと容器本体６に収容される袋１０との間の隙間を埋めるための衝撃緩衝材でなる上端のみ開放されたほぼ長方形状で袋状の隙間部材２６を備えさせ、隙間部材２６を袋１０を脱気した状態で膨出可能に構成することによって、隙間部材２６が脱気して小さくなった袋１０と容器本体６との間の隙間を埋めて、袋１０が容器本体６内を移動することを確実に阻止することができるだけでなく、容器本体６を介して袋１０へ伝達される衝撃力を隙間部材２６にて緩和することができ、取扱面において更に有利になる。前記隙間部材２６は、前記袋１０と同様に、ナイロン（登録商標）とポリエチレンのラミネート素材からなり、その隙間部材２６の開口２６Ｋを閉じるための閉塞手段２６Ｓを、隙間部材２６上端に他の部分よりも厚くした一対の上端部２６Ａ，２６Ａと、これら上端部２６Ａ，２６Ａに跨って両者を互いに密接状態にして開口２６Ｋを閉じるためのスライダー２６Ｂとからなっている。そして、この隙間部材２６の内部にウレタンやスポンジなどからなる弾性体２５を開口２６Ｋを通して内部に挿入してから、隙間部材２６の開口２６Ｋを閉塞し、カバー部材２７を取り外して内部の空気を脱気することによって、弾性体２６を縮めることで隙間部材２６を弾性体２６の厚みよりみ小さな厚みにする。この状態になった隙間部材２６を容器本体６の側壁６Ａ，６Ｂ，６Ｃ，６Ｄの内面に配置し、袋１０を入れてから袋１０内に商品７，８，９を収納して袋１０内の空気を脱気する。この後、蓋体２，３，４，５を閉じてから開口６ｂを通して外部に露出しているカバー部材２７を外してから隙間部材２６内に空気を供給することによって、縮んでいた弾性体２５が膨れることによって、袋１０と容器本体６の側壁６Ａ，６Ｂ，６Ｃ，６Ｄの内面との間の隙間を埋めることができるようになっている。前記弾性体２５を無くして、商品７，８，９の収納作業完了後において隙間部材２６にエアを入れて膨らませて、袋１０と容器本体６の側壁６Ａ，６Ｂ，６Ｃ，６Ｄの内面との間の隙間を埋めるようにしてもよい。
【図面の簡単な説明】
【００２５】
【図１】梱包容器の一部省略した縦断面図である。
【図２】蓋体を開放にした梱包容器の斜視図である。
【図３】仕切部材の斜視図を示し、（ａ）は商品収納空間を形成する前の状態を示し、（ｂ）は商品収納空間を形成した状態を示している。
【図４】仕切部材を袋内に入れた梱包容器の横断平面図である。
【図５】蓋体の内面に突出部を備えさせた他の梱包容器を示し、（ａ）はそれの斜視図、（ｂ）はそれの縦断面図である。
【図６】商品収納ケースを備えた他の梱包容器の斜視図である。
【図７】袋内に商品を寝かせた状態で収納した状態を示す梱包容器の一部省略した縦断面図である。
【図８】他の梱包容器の構成を示す分解斜視図である。
【図９】図８の梱包容器の斜視図である。
【符号の説明】
【００２６】
１  開口
２，３，４，５  フラップ（蓋体）
６Ａ，６Ｂ，６Ｃ，６Ｄ  側壁
６  容器本体
６ｂ  開口
７，８，９  商品
１０Ｂ  スライダー
１０Ａ  上端部
１０  袋
１０Ｓ  閉塞手段
１０Ｋ  開口
１１  気泡緩衝シート
１２  脱気口
１３  逆止弁
１４  カバー部材
１５，１６  緩衝部材
１７，１８，１９  仕切部材
２０  底板部材
２２Ａ，２２Ｂ  仕切部材
２２ａ，２２ｂ  切欠部
２２  商品収容ケース
２２Ｓ  商品収容部
２２Ｋ  開口部
２３Ａ，２４Ａ  空気供給口
２３，２４  突出部
２５  弾性体
２６Ｂ  スライダー
２６Ａ  端部
２６  性体
２６Ｓ  塞手段
２６Ｋ  口
２６  隙間部材
２７  カバー部材
Ｓ  商品収容空間
【図１】
2005298035.tif 000003
【図２】
2005298035.tif 000004
【図３】
2005298035.tif 000005
【図４】
2005298035.tif 000006
【図５】
2005298035.tif 000007
【図６】
2005298035.tif 000008
【図７】
2005298035.tif 000009
【図８】
2005298035.tif 000010
【図９】
2005298035.tif 000011